(57)【特許請求の範囲】
【請求項１】
端部同士が連結された複数の部分ロールから成り、該部分ロールのそれぞれは、別々の支持軸で支持された軸受けによって回転する区分式ロールにおいて、前記部分ロールのそれぞれは、該部分ロールの支持軸方向の両端面に連結手段を有し、該連結手段は、２つの隣接する部分ロールを互いに離脱可能に連結し、前記支持軸は、少なくとも２つの部分から成り、該部分の相互の配置は、前記支持軸の軸長を変更するため、変更可能であることを特徴とするウェブ状連続材料シートの処理用区分式ロール。
【請求項２】
請求項１に記載の区分式ロールにおいて、該部分ロールの支持軸の端面における連結手段は、第１の部分ロールの端面における突起部と、第１の部分ロールにおける前記突起部に対面する、第２の部分ロールの端面における嵌合収容部とを含むことを特徴とする区分式ロール。
【請求項３】
請求項２に記載の区分式ロールにおいて、該部分ロールの支持軸の端面における連結手段は、第１の部分ロールの支持軸の端面における環状フランジ突起部と、第１の部分ロールに対面する、第２の部分ロールの支持軸の端面における環状収容部とを含み、前記環状フランジ突起部および環状収容部は、実質的に同心であり、隣接する部分ロールが互いに連結される時には、前記環状フランジ突起部が同心の環状収容部内である程度回転および傾斜可能となる形状および寸法を有することを特徴とする区分式ロール。
【請求項４】
請求項２に記載の区分式ロールにおいて、該部分ロールの支持軸の端面における連結手段は、第１の部分ロールの支持軸の端面における凸形半球面突起部と、第１の部分ロールに対面する、第２の部分ロールの支持軸の端面における凹形半球面収容部とを含み、該突起部および収容部は、実質的に同心であり、実質的に等しい湾曲半径を有することを特徴とする区分式ロール。
【請求項５】
請求項１ないし４のいずれかに記載の区分式ロールにおいて、該部分ロールの支持軸は２つの部分から成り、該部分は固定要素を介して互いに堅固に固定可能に構成され、該固定要素が解放されると、２つの隣接する部分ロールの嵌合端面に形成された連結手段が相互に離脱可能となる距離まで、互いに対して軸方向に移動可能であることを特徴とする区分式ロール。
【請求項６】
請求項５に記載の区分式ロールにおいて、該部分ロールの支持軸の第１の部分は、該支持軸の第２の部分の軸方向穴に嵌合するように構成された軸方向突起部を含み、前記固定要素は止めネジまたはこれと同等の固定部材であり、前記支持軸の第２の部分に作られた半径方向穴の中に配され、前記固定要素が固定位置にある時の該要素の先端部は、前記支持軸の軸方向突起部の外周に押し付けられ、これによって前記支持軸を構成する両部分は互いに堅固に固定されることを特徴とする区分式ロール。
【請求項７】
請求項６に記載の区分式ロールにおいて、前記止めネジまたはこれと同等の固定要素は、その固定位置から他の機能位置へ移動可能であり、該機能位置に移動すると前記止めネジの先端部は前記軸方向突起部の外周に押し付けられる状態から退去し、該ネジの頭は前記部分ロールの巻胴の内周に押し付けられ、これによって前記支持軸の第２の部分は、前記部分ロールの移動に追従するよう結合されることを特徴とする区分式ロール。
【請求項８】
請求項７に記載の区分式ロールにおいて、該部分ロールの内周には、該部分ロールが回転している時にも前記止めネジの頭が該止めネジの第２の機能位置において前記部分ロールとの確実な接触を行うのに適した収容部が設けられていることを特徴とする区分式ロール。
【請求項９】
請求項６ないし８のいずれかに記載の区分式ロールにおいて、該部分ロールの支持軸の第１の部分の軸方向突起部の少なくとも一部分には外ネジが設けられ、前記支持軸の第２の部分の中心穴の少なくとも一部分には嵌合内ネジが設けられ、これによって、前記支持軸の各部分を連結する固定要素が解放されると、前記支持軸の一方の部分は回転し、該部分は支持軸の第１の部分に向かって軸方向に移動することを特徴とする区分式ロール。
【請求項１０】
請求項１ないし９のいずれかに記載の区分式ロールにおいて、該部分ロールは外巻胴および内巻胴を、それら２者を連結する円盤部分と共に含み、前記支持軸の両部分には、前記部分ロールの内部に向かって開口した環状収容部が設けられ、該環状収容部は、前記円盤部分から両側に向かって延びている、内巻胴の両管状フランジ部分を収容するように構成され、各部分ロールは、２つの軸受けを用いて前記支持軸に回転可能に取り付けられ、該軸受けの内側軌道輪は、該部分ロールの回転する内巻胴に固定され、外側軌道輪は、前記環状収容部の外壁の内面へ固定されていることを特徴とする区分式ロール。
【請求項１１】
請求項１ないし10のいずれかに記載の区分式ロールにおいて、各部分ロールの支持軸は、少なくともその一端において部分ロール取付フレームに支持手段によって連結され、該支持手段は、各部分ロールの取付フレームに対する個々の部分ロールの支点の位置および／または距離を調節可能であることを特徴とする区分式ロール。
【発明の詳細な説明】
【０００１】
本発明は、端部同士が連結された複数の部分ロールから成る区分式ロールに関するものである。各部分ロールは、それぞれ、独立した支持軸で支持された軸受けによって回転するように構成されている。
【０００２】
かかる区分式ロールの弧形度は、必要に応じて、個々の部分ロールの支点の位置および／または距離を取付フレームに対して調節することにより、変更可能である。このように製造されたロールは、例えばウェブ状連続材料シートの処理において、張り出しロールとしての使用に著しく適している。区分式ロールはまた、例えば紙ウェブ用ガイドロール、または巻取りにおける押付けロールとしての使用にも適している。
【０００３】
従来の区分式ロールの構造では、部分ロールはそれぞれ、その両端で、区分式ロール取付フレームまたは同等の支持構体で支持された軸受けに軸着されるのが一般的であった。２つの隣接する部分ロールが１つの軸受け装置を共有することもままあった。したがって、この形式の区分式ロールの中央区域からある部分ロールを除去することは困難である。なぜなら、区分式ロールの中央区域に配されている交換すべき部分ロールへ到達するには、区分式ロールをその一端から分解しなければならないからである。
【０００４】
フィンランド特許公開公報第62514号からは、上述の形式の張り出しロールが知られていて、これによれば、隣同士の部分ロールの隣接するスタブ軸は、２点支持軸受けブロックで支持されていて、これが張り出しロールの弧形度を決定する。したがって、各スタブ軸には、回転軸受け点として機能するように設計された、独立した支持軸受けが設けられている。これら隣接するスタブ軸の回転軸受け点は、支持軸受けのさまざまな側に、互いに近接して構成され、これによって各支持軸受け装置は隣接する回転支持点の１つを支持する。この形式の２部分支持軸受けブロックによれば、各部分ロールは、張り出しロール全体を完全に分解することなく取り外して交換可能である。他方、このような構造では２つの湾曲点が狭い間隔で配されるため、ロールに不均一な湾曲が生じる。湾曲点は、隣接する部分ロールの嵌合点には正確に位置せず、むしろそこからわずかな距離だけずれているため、ロールの反りによって部分ロールの端部が持ち上げられることが多く、これによってロールはたわみながら回転し、鋸歯形状になってしまう。したがって、ロール孤形度について正しい幾何学的形状が達成されず、これがウェブ走行制御に問題を生じる。
【０００５】
本発明は、区分式ロール全体を完全に分解することなく、いずれの部分ロールも取り外しおよび交換が可能であり、区分式ロールを平滑な弧形状とすることが可能な新形式の区分式ロールを提供することを目的とする。
【０００６】
本目的および後述の目的を達成するために、本発明による区分式ロールは、請求項１の特徴段の記載事項を特徴とする。
【０００７】
本発明による区分式ロールは、その部分ロールの支持軸方向の両端面に構成された連結手段を有し、この連結手段は、２つの隣接する部分ロールを互いに離脱可能に連結する役目を果たす。そして支持軸は少なくとも２つの部分を有し、それらの部分の互いに対する位置を変更することによって、支持軸の軸長を変更可能である。
【０００８】
有利なことに、支持軸端面の連結手段は、２つの隣接する部分ロール間に連結を確立し、この連結によって隣接する部分ロールの長手軸間の傾斜を調整できる。連結手段には、第１の部分ロール端面の突起部またはその同等物と、第２の部分ロール端面の嵌合収容部とを含めてよい。突起部は、例えば、支持軸の端面に作った環状フランジ突起で形成すればよく、隣接する部分ロールが互いに連結されている時は、それら隣接部分ロールの端面に作られた同心環状収容部の中で、ある程度回転および傾斜可能な形状とする。あるいは、嵌合連結面の一方を凹形半球面としてもよく、この場合、嵌合端面は凸形半球面で作ればよい。区分式ロールを所望の湾曲度まで曲げるこのような構造では、隣接する部分ロールの嵌合端部の一方だけは取付フレームに直接支持させなければならないが、他方の端部はその隣接する部分ロールの端部によって支持可能となる。
【０００９】
部分ロールの支持軸は２つの部分で構成され、これらは固定要素によって互いに堅固に、有利には回転しないように固定可能である。固定要素が解放されると、これらの軸部分は互いに対して軸方向に移動し、隣接する部分ロールの両嵌合端面に作られている連結手段が相互に離脱可能となる距離まで、移動可能である。
【００１０】
有利なことに、支持軸の第１の部分は軸方向突起部を含み、最も有利なことに、これは支持軸の第２の部分の軸方向穴に嵌合する合いくぎ状になっている。固定要素は固定用部材、有利には止めネジとしてよく、支持軸の一方の端部に作られた半径方向穴に配置され、その固定用の先端部は、固定位置において、支持軸の軸方向突起部の外周に押し付けられ、支持軸の両部品を互いに堅固に固定可能である。
【００１１】
望ましくは、この止めネジまたは固定要素は、更に他の機能位置を有する。そのため、止めネジの長さは、有利には、次のようにする。すなわち、止めネジを回して軸方向突起部の外周に押し付けられた状態から離した時は、ネジ頭が部分ロールの巻胴の内周に押し付けられ、これによって、支持軸の他方の部品を結合し、部分ロールの巻胴が移動する場合は、これに追従させる。部分ロールの巻胴の内周には、有利には、部分ロールが回転している時にもネジ頭が部分ロールの巻胴と確実な接触を行うのに適した収容部が設けられている。
【００１２】
有利なことに、支持軸の隣接部分を連結する軸方向突起部および軸収容部は、少なくとも、互いに嵌合可能な外ネジおよび内ネジをそれぞれ有する。したがって、先ず固定手段を解放すると、そのネジ切り部分によって支持軸の一方の部分は回転し、他方の部分に向かって軸方向に移動可能である。
【００１３】
有利なことに、本発明による区分式ロールの部分ロールは、外巻胴と内巻胴とを含み、これらは円盤部で互いに連結されている。支持軸の両部分には部分ロールの内部に向かって開口した環状収容部が設けられ、この環状収容部は、前記円盤部から両側に向かって延びている、内巻胴の管状フランジ部を収容するように構成されている。各部分ロールは、望ましくは２つの軸受け、更に有利には玉軸受けを用いて、支持軸に回転可能に取り付けられている。これら軸受けは、部分ロールの回転する内巻胴に固定された内側軌道輪と、支持軸に作られた環状収容部の外壁の内面へ固定された外側軌道輪とを有する。
【００１４】
有利なことに、区分式ロールは複数の部分ロールを含み、それらの有する支持軸は、それぞれの一端だけが区分式ロールの取付フレームに取り付けられ、区分式ロールの終端部の部分ロールでのみ、両端で取付フレームに取り付けられて完成されている。各支持軸がフレームに対してこのように取り付けられる構造では、有利なことに、部分ロール上の位置および／または距離を取付フレームに対して調節可能である。
【００１５】
本発明による区分式ロールの実施例では、区分式ロールの中央区域のいずれの部分ロールも、区分式ロール全体を完全に分解することなく交換可能である。これを実現するため、各部分ロールの一端は区分式ロール取付フレームに取り付けられるが、他端は、連結手段によって、隣接する部分ロールに支持される。この連結手段は、部分ロールの支持軸を短い長さに調節すれば、離脱可能である。
【００１６】
２つの隣接する部分ロール間の湾曲点は、それぞれの端部の嵌合面で一致するように配設するため、区分式ロールはその湾曲に全く鋸歯形状を生じず、均等に湾曲する。したがって、区分式ロールは例えば、ウェブを支持するのに問題なく適している。
【００１７】
次に、添付図面を参照し、実施例により本発明を説明するが、その内容は本発明の範囲を限定するものではない。
【００１８】
図１を参照すると、そこに模式的に示す区分式ロールは、端部同士を連結された５つの部分ロール10を含み、これによって各部分ロールの最初の４つは、それぞれの一端は取付フレーム５に支持部材23を介して取り付けられ、それぞれの他端はそれぞれの隣接する部分ロール10の端面で支持されている。この部分ロール列の最後の部分ロール10’は、その両端が共に取付フレーム５に取り付けられている。これらの部分ロール10はそれぞれ、自身の非回転支持軸を有していて、その周囲を軸受けで回転するように構成されている。２つの隣接する部分ロール10間の連結部は、端部同士が連結された隣接する部分ロール10間の傾斜角をある程度容認するように構成されている。取付フレーム５への部分ロール10の取り付けは、いずれの部分ロール10の位置についても、その高さおよび横方向の位置の両方に関して調節可能となるように行なわれ、これによって区分式ロールの湾曲は複雑でない方法で調節可能である。
【００１９】
次に、図２および図３を参照して単一の部分ロール10の構造について説明する。この説明は図１に示す中間の部分ロールのいずれにも共通のものである。ロール端部における部分ロールの構造が中間の部分ロールと異なる点は、ロール端部における部分ロールがその両端部に支持部材23を有している（図４参照）ことだけである。
【００２０】
各部分ロール10は２つの同心円筒巻胴部品12および13を含み、それらは、円筒巻胴部品の中央対称面に配された円盤部分14によって互いに連結されている。部分ロール10は有利には鋳造によって作られる。部分ロールのうち、外側円筒巻胴部品12は、張り出しロールとして機能する区分式ロールにおいて、好適には、溝付き外面を有する巻胴自体を形成している。軸方向において、内側円筒巻胴部品13は外側巻胴部品12より長さが短く、その中に部分ロールの支持軸11が通っている。
【００２１】
部分ロールの支持軸11は中間支持部材16および中間連結部材18という後述の２つのフランジ状部品によって作られている。これらの部材16および18は部分ロール10の内部空間に構成されていて、部分ロール10の中心から軸方向に外側へ向けられた中間支持部材16の面および中間連結部材18の面は、部分ロール10の両端面として機能し、更に、２つの隣接する部分ロール間の連結部における嵌合面としても機能する。支持軸11を構成するこれら２つの部品はスタブ軸17によって連結されていて、スタブ軸は、中間支持部材16に組み込まれ、部分ロールの内巻胴13を通って中間連結部材18の中心穴19まで延びる長さを有する。区分式ロールを作動するこの集合体が通常位置にある時は、支持軸部材16および18は止めネジ36によって互いに回転しないように固定されている。
【００２２】
中間支持部材16は、これとは別個の、またはこれと一体化した支持部材23によって、区分式ロールの取付フレーム５に取り付けられる。図１に模式的に示す固定・調節手段21、22は、支持部材23と関連していて、有利には調節ネジによって作動し、中間支持部材16の区分式ロール取付フレーム５に対する位置調節を縦および横の両方向に容易にする。このような構造によって、区分式ロールの孤形度は、任意の部分ロール10の位置をその隣接する部分ロールに対して個別に調節することによって、制御可能である。
【００２３】
スタブ軸17はその基部を包囲する環状収容部27を含み、中間支持部材16の円盤状部分の中心から部分ロール10の内部空間の方向に突出している。この収容部は中間支持部材16の方へ突出している部分ロール10の内巻胴13の管状フランジ部を収容する役目を果たす。軸方向において、このスタブ軸17は、部分ロール10の内側巻胴13の穴を通って、部分ロール10の他端近くまで延びている。スタブ軸17の外側端部は雄ネジ山32付き部分30を有し、このネジ山付き部分の周辺には平坦区域31が配されている（図３参照）。
【００２４】
部分ロール10の他方の側に配されている中間連結部材18は、中間支持部材16に対する嵌合部材として機能し、上記部材16、18は、共に部分ロール10の支持軸11を形成する。更に、中間連結部材18は、部分ロールの内部空間へ向かって突出しているスリーブ部分33を中心に有する円盤状部品として形成されている。このスリーブ部分33は、その基部に作られた環状収容部34を有し、これは、中間連結部材18の方へ突出している部分ロール10の内巻胴13の管状フランジ部を収容する。スリーブ部分33の軸方向の穴は、中間連結部18の全長を打ち抜き、更にスリーブ部分の終端部まで延びている。中間支持部材16のスタブ軸17および中間連結部材18のスリーブ部分33が両方とも部分ロール10の内巻胴13の内径よりわずかに小さい外径を有することにより、支持軸11の中を通る部分17と33との間で、内巻胴33が接触するのを回避している。
【００２５】
部分ロール10の長手軸に対して垂直な半径方向に、中間連結部材18の外周から内部へ向けて、中間連結部材18を打ち抜く内ネジ切り穴35が開けられていて、これは軸方向に開けられている穴19まで達している。このネジ切り穴35の中には、固定用部材として機能する止めネジ36が配されていて、これは２つの機能位置を有する。このネジ36の第１の位置では、部分ロールの長手軸の方へ向けられているネジ36の先端部が、スタブ軸17の終端部30の周辺の平坦区域31に対してぴったりと押し付けられる。この位置では、ネジ36は中間連結部材18を固定中間支持部材16に対して堅固に固定し、中間連結部材18の回転を防止する。ネジ36がスタブ軸17の平坦区域31に対していたずらに過度に締め付けられないようにするため、ブッシング37が設けられていて、これはスタブ軸から外方向へ半径方向に向けられた止めネジ36のキャップ端部に構成され、止めネジ36の先端部がスタブ軸17の平坦区域31に対して押し付けられた時、その穴35の周りの中間連結部材18の周囲に当接するように構成されている。有利なことに、中間連結部材18の周囲を切削して、穴35の周りに延びる部分的に平坦なキー区域（図示しない）を作ることができ、これによればブッシング37は前記平坦なキー区域に均等に当接する。
【００２６】
中間連結部材18の軸方向の穴19のうち、少なくとも、穴35から中間連結部材18まで延びている部分には、中間支持部材16のスタブ軸17の終端部30の外ネジ山32に適合する内ネジ山42が設けられている。
【００２７】
部分ロール10は、中間支持部材16および中間連結部材18によって作られた支持軸11上で走行する２つの玉軸受け20によって、回転可能に取り付けられている。これらの軸受けは部分ロール10の円盤部分14の両側において、内巻胴13の外面に構成されていて、それらの軸受け20の内側軌道輪は、内巻胴13と共に回転する。この内巻胴13は２つの管状フランジ部品で作られていて、これらは、円盤部分14から両側へ延び、中間支持部材16に対面している側では環状収容部27によって、中間連結部材18に対面している側では環状収容部34によって、それぞれ密閉されている。軸受け20の固定された外側軌道輪は、したがって、これら２つの環状収容部27および34の外壁の内面で支持されている。
【００２８】
上述のように、部分ロール10の内巻胴13の内面は、部分ロールの内巻胴13の穴を貫通する支持軸11の部材17、19とは接触しない。したがって、これらの軸受け20は部分ロール10が支持軸11に連結されるたった１つの点である。内巻胴13の中心穴の中へ嵌合された中間連結部材18のスリーブ部分33と適合する、中間支持部材16のスタブ軸17の主たる機能は、支持軸部材16および18を互いに連結させる連結要素を作ることである。
【００２９】
図４には最後の部分ロール10’の構造を示す。この最後の部分ロール10’は、その両端で取付フレームに支持される必要があるため、その支持軸11’は、上述の標準型の中間支持部材16に端部支持部材16’を連結して構成されている。部材16’の構造は標準型中間支持部材16の構成要件と、中間連結部材18のそれとを併せ持っている。
【００３０】
２つの隣接する部分ロール10を互いに連結する連結手段は、部分ロールの支持軸11の端面に作られている。部分ロール10を示す図２から分かるように、中間支持部材18の外面はその上に形成された環状フランジ突起部41を有するが、中間連結部材16の外面はその上に形成された環状溝29を有し、これは環状フランジ突起部41の形状と実質的に同心に嵌合する形状を有する。
【００３１】
次に、隣接する部分ロール10間に作られている結合部と、ある部分ロールを区分式ロールの中央区域からの取り外す様子とを、図４と、部分ロール10の構造を詳細に示す図２とを参照して説明する。
【００３２】
各図面によれば、２つの隣接する部分ロール10間の自在継手は、第１の部分ロールの中間連結部材18の端面と第２の部分ロールの中間支持部材16の端面との間に作られている。２つの部分ロール10を互いの端部同士を当接して一列に並べると、第１の部分ロールの中間連結部材18の端面に作られている環状フランジ突起部41は、第２の部分ロールの中間支持部材16の端面へ作られている環状収容部29に入り、そこに適切に配備された遊びによって設けられた限度内で、回転および傾斜可能である。環状フランジ突起部41および環状収容部29のエッジを適切に傾斜させることによって、最大傾斜角を大きくすることができる。
【００３３】
２つの隣接する部分ロール10の湾曲点を、上述のように、それら部分ロール10間の嵌合面において一致するように配設しているため、区分式ロールは、２つの隣接する部分ロール10間に鋸歯形状を生じることなく、湾曲可能である。
【００３４】
本発明による区分式ロールの中央区域からある部分ロール10を取り外す第１の工程は、中間連結部材18が回転しないように部分ロールの中間支持部材16に固定している、支持軸11の止めネジ36の抜き取りを含む。この止めネジ36を部分ロールの外側から抜き取り易くするため、部分ロールの外巻胴12には、止めネジ36の頭に合致する位置に開口部39を設け、当該開口部の周辺には、部分ロールの外巻胴12の内面に作られた逃げ40を設ける（図３参照）。したがって、抜き取り工具をその開口部39の中へ挿入することによって、ネジ36の抜き取りを行なうことができ、これによって止めネジ36は、その止めネジの頭38が部分ロールの外巻胴12の内面に作られた逃げ40に当接するまで回される。この時点までには、止めネジ36の先端部は中間支持部材16のスタブ軸17との接触から解放されていて、止めネジ36の頭は、中間連結部材18を固定して外巻胴12と共に回転させる。ここで、部分ロール10は、ネジ山32、42のピッチにもよるが、適切な回数だけ適切な方向に回転させ、中間連結部材18を部分ロール10と共に回転させることができる。これによって、スタブ軸17の終端部に作られている外ネジ切り32、および中間連結部材18の中心穴19の中へ作られている内ネジ切り42の協力によって、中間連結部材18をスタブ軸17で支持しながら中間支持部材16の方へ移動させる。この移動により中間連結部材18の端面の環状フランジ突起部41は、隣接する部分ロールの端面の環状収容部29から退去し、これによって部分ロール10は隣接する部分ロールとの連結から解除される。
【００３５】
上述の工程は、取り外される部分ロールの他端に隣接する部分ロールについても繰り返す必要があり、その後、その部分ロール10の支持部材23を取付フレームから取り外し、部分ロール10をその位置から取り外すことができる。隣接する部分ロールの列への部分ロールの再組込みは逆の順序で行なわれる。
【００３６】
図５に、区分式ロール、特に部分ロールの連結部材としての使用に適した部分ロールの他の実施例を示す。この部分ロールの構造は概ね図２に示す部分ロールのそれと同様である。その連結部材は、中間連結部材18の端面に作られた凸形半球面の突起部45と、突起部45により形成されている嵌合端面と実質的に同心で、等しい湾曲半径を有する、中間支持部材16の端面に形成された凹形半球面の収容部46とを有する。したがって、図５に示す形式の２つの部分ロールの係合による互いの密接な連結により、突起部45と収容部46との間に自在継手面が作られ、これによって隣接する部分ロールの軸間には、さまざまな傾斜角を形成可能である。２つの隣接する部分ロール間に存在する、この形式の支持継手は、中間支持部材16および中間結合部材を前述の実施例について説明した方法で移動させることによって、分離可能である。
【００３７】
本発明による区分式ロールの構造には、更に他の実施例が考えられる。有利なことには、部分ロールの端面における結合用要素は同心部材であり、これによって、隣接する部分ロール間の支持継手の解放を回転によって行なうことができる。その結合部材は、例えば中間支持部材のスタブ軸の端部に取り付けたネジ付きブッシングとしてよく、部分ロールがそれぞれ連結位置にある時には、隣接する部分ロールの端面に作られた収容部に嵌合するように配設すればよい。したがって、中間支持部材全体を部分ロールの支持部材の方へ移動可能にすることは必ずしも必要でなく、これに代えて、単にネジ付きブッシングを部分ロールの支持軸に沿って支持部材の方へ回転させることによって、支持軸の長さの収縮を行なってもよい。
【図面の簡単な説明】
【図１】  本発明による区分式ロールの側面図である。
【図２】  区分式ロールを構成する１つの部分ロールの部分的な側断面図である。
【図３】  図２の部分ロールを矢印Ａの方向から見た図である。
【図４】  区分式ロールの２つの隣接する部分ロール間の結合部と、ロール端部における部分ロールの構造とを示す部分的な側断面図である。
【図５】  本発明による区分式ロールに適した部分ロールの他の実施例を示す図である。
【図１】
0003898446.tif 000002
【図２】
0003898446.tif 000003
【図３】
0003898446.tif 000004
【図４】
0003898446.tif 000005
【図５】
0003898446.tif 000006